(57)【要約】本発明は、煙の立ちこめた部屋から実質的に無煙の空気の吸引を確保するための装置で、ユーザの顔面４の少なくとも鼻及び口を覆って配置される防護材２を備え、前記防護材に管状体６が緊密接続され、前記管状体の端８に、前記防護材内部でユーザの口に当接するように適合したノズルが配置され、前記ノズルが前記管状体の他端の空気吸込開口１０と連通し、前記管状体が伸長状態で少なくとも地面レベル近傍に及ぶ長さｌを有する装置において、軟質材料により形成される前記管状体６が収縮可能且つ／又は伸張可能とされ、前記防護材２と共に、畳み込まれた状態で、その実質的広がりを１つの平面Ｐ上に有し、僅少スペースのみ要するパッケージを形成することを特徴とする装置に関する。
2006507889.tif 000002
【特許請求の範囲】
【請求項１】
煙の立ちこめた部屋から実質的に無煙の空気の吸引を確保するための装置（１）で、ユーザの顔面（４）の少なくとも鼻及び口を覆って配置される防護材（２）を備え、前記防護材に管状体（６、６’）が緊密接続され、前記管状体の端（８）に、前記防護材内部でユーザの口に当接するように適合したノズルが配置され、前記ノズルが前記管状体の他端の空気吸込開口（１０）と連通し、前記管状体が伸長状態で少なくとも地面レベル近傍に及ぶ長さ（Ｌ）を有する装置において、軟質材料により形成される前記管状体（６、６’）が収縮可能且つ／又は伸張可能とされ、前記防護材（２）と共に、畳み込まれた状態で、その実質的広がりを１つの平面（Ｐ）上に有し、僅少スペースのみ要するパッケージを形成することを特徴とする装置。
【請求項２】
前記管状体（６、６’）の前記空気吸込開口（１０）に接続する外側部分にウエイト（１５）が設けられることを特徴とする請求項１に記載の装置。
【請求項３】
前記管状体（６）に、その外側部分の前記空気吸込開口（１０）の適宜近傍に、固定具（１４、１４’）をさらに備え、それによって前記管状体の前記空気吸込開口がユーザの下肢又は足元に接続配置可能とされることを特徴とする請求項１又は請求項２に記載の装置。
【請求項４】
吸気及び呼気を制御するためのバルブ（５）が前記防護材（２）に接続して前記管状体に配置されることを特徴とする請求項１から３までのいずれか１項に記載の装置。
【請求項５】
前記管状体（６）が、画成された空気チャネルを形成する、プラスチック・フィルム等の薄膜により形成可能とされること、前記膜による前記形成された空気チャネルが、前記空気チャネル内に配置された、伸長状態で、前記空気チャネルにより形成される長さにほぼ対応する螺旋ストリップ（１２）を囲繞することを特徴とする請求項１から４までのいずれか１項に記載の装置。
【請求項６】
前記管状体（６’）が肉薄の、弾性且つ軟質材料により形成され、コンパクト且つ相当にフラットな省スペース・ユニットに圧縮、緊縮可能な襞（１３）を設けられることを特徴とする請求項１から５までのいずれか１項に記載の装置。
【発明の詳細な説明】
【技術分野】
【０００１】
本発明は、煙の立ちこめた部屋から実質的に無煙の空気の吸引を確保するための装置に関する。
【背景技術】
【０００２】
火災に係わる死者は、ほとんどの場合、火災自体ではなく、窒息により死亡する。出火による煙が部屋に充満し始めたとき、煙道ガスがまず天井に集まる。時間が経過すればするほど、より多く煙が部屋の天井から床まで充満する。したがって、床面上で煙の無いスペースが順次減少し、一定の期間後には、部屋全体に実質的に煙が充満する。比較的に煙の無い空気の層が部屋に存在する間は、その空気を含む層から空気を得ることによって、人は一時対処していけるであろう。しかし、煙が部屋の相当の部分に充満したときには、煙の無い空気は、床に蹲るか、腹這い、或いは這いずり回ることをしない限り吸引できない。そのため、相当の大きさの建物等で煙の充満した部屋から迅速に退去する能力は制限される。
【０００３】
ガス・マスク等の防護マスクは、各種従来から知られている。よくみられる防護マスクは、バルブに備えられたフィルタ付きのバルブが接続されたゴム材の緊密顔面マスクである。このタイプの防護マスクは、確かに煙道ガスに対して有効且つ他の種類のガスに対しても適合可能とされるが、先進且つ高価なフィルタを使用することを要する。その耐用性は、保管方法次第によって制限される。フィルタ・ホルダ及びバルブ付き防護マスクは、スペースも要する。スペース、保管基準及びコストを省くため、通常、そのような防護マスクは、火災の際には即座に使用し、被災者を迅速に避難させるためにそのような防護マスクを利用可能としてあるべき公共及び公的部屋に配備されていない。
【０００４】
ＧＢ−Ａ−２１３４３９３により、例えば煙の充満した部屋等における吸気に適合した装置が既に知られている。同装置は、顔面マスク及びこれに接続されたチューブを備え、前記チューブを介して地面レベルの領域から吸気可能とされる。チューブはＰＶＣにより形成され、チューブを補強するのに適したリブが設けられる。同装置は、例えば病院のベッド脇に配備して利用可能とするのに適している。
【発明の開示】
【発明が解決しようとする課題】
【０００５】
本発明の目的は、知られている保護マスクに関係する欠点を除去する保護マスクを提供することにある。さらに、その目的は、小さく且つ縮小サイズに適合し、低コストで製造を可能とする簡素化された保護マスクを提供することにある。
【課題を解決するための手段】
【０００６】
この目的は、請求項１に規定の本発明による、煙の立ちこめた部屋から実質的に無煙の空気の吸引を確保するための装置によって達成され、本装置は、ユーザの顔面で少なくとも鼻及び口を覆って配置される防護材を備え、前記防護材に管状体が緊密接続され、前記管状体の端に、前記防護材内部でユーザの口に当接するように適合したノズルが配置され、前記ノズルが前記管状体の他端の空気吸込開口と連通し、前記管状体が伸長状態で少なくとも地面レベル近傍に及ぶ長さを有する装置であって、軟質材料により形成される前記管状体が収縮可能且つ／又は（ａｎｄ／ｏｒ）伸張可能とされ、前記防護材と共に、畳み込まれた状態で、その実質的広がりを１つの平面上に有し、僅少スペースのみ要するパッケージを形成する装置とされる。
【０００７】
本発明による、この解決策の効果は、予め包装の、収縮状態で占めるスペースを僅少とし、安価で生産され、使い捨て可能製品とするのに適し、且つ取扱が簡単とされ、総じて、あらゆる状況において持ち込み可能且つ必要時の迅速なアクセスのためにあらゆる施設において容易に配備可能なことにある。本装置は、ユーザが同時に無煙空気を吸引しながら迅速に且つ直立で移動することを可能とする。
【０００８】
本発明によれば、予め包装された状態、即ち非使用時の本装置が極力省スペース・ユニットとなり得るように本装置の全ての部品が設計されることが重要とされる。その点において、管状体は、本装置を使用しなければならないときに所望の長さに伸張可能且つパッケージ内等に収納の際にはコンパクトで、小さな、省スペース・ユニットに圧縮可能とすることが容易な構成品を備えなければならない。ここで伸張可能とは、本装置が引き延ばし、繰り出し、引き出し等可能とされることを意味する。圧縮若しくは収縮とは、本装置が畳み込み、包装、圧縮、引き込み等可能とされることを意味する。そのため、本発明の実施例によれば、管状体は、画成された空気チャネルを形成する、プラスチック・フィルム等の薄膜若しくはその類により形成可能とされる。その膜により形成された空気チャネルは、空気チャネル内に配置された、伸長状態で、同膜により形成の空気チャネルの長さにほぼ対応する螺旋ストリップ、或いは螺旋繊条若しくはその類を囲繞する。別の実施例によれば、管状体は肉薄の、弾性且つ軟質材料により形成可能とされ、その長さ沿いに均等に展開されることが適切な襞を設けられる。その点において、この管状体はベローズ構造に匹敵し、それ故に長さが僅少の、コンパクト且つ実質的にフラットな省スペース・ユニットに圧縮、収縮可能とされるに至る。圧縮状態の長さは、同管状体を最大限引き延ばした状態の半分より短いとするのが適切とされる。引き延ばされた、伸張状態では、管状体は少なくともユーザの口から地面レベル近傍までの距離に対応する長さを有することが可能とされる。さらに別の実施例によれば、管状体は、幾つかの相互に変位可能な入れ子式チューブ・セグメントにより構成することが可能とされる。その点において、この管状体は、圧縮状態で、チューブ・セグメントの１つの長さに対応する長さを形成可能とされる。引き延ばし、伸張状態で、チューブ・セグメントは、本発明の装置を使用の際に、所望の長さにしたがって、連結されたチューブ区分がかなりの長さの管状体を形成するように、相互に変位可能とされる。
【０００９】
本発明による装置が斯様な省スペース・ユニットを極力形成可能とするため、ユーザの顔面に配備するように適合した、例えばプラスチック薄膜若しくはその類等による、ユーザ頭部を被装するフードとするのが適切な防護材もまた、広がりスペースが僅少の、緻密な省スペース・ユニットに圧縮可能とする肉薄の、軟質材料製としたいところである。本装置に含まれる、例えば含まれる可能性の高いバルブ等、他の構成品も、コンパクト且つ省スペース・サイズとしたいところである。
【００１０】
本発明の実施例による他の特徴は、特許請求項の範囲並びに実施例に関する以下の説明から明らかである。
【００１１】
以下に本発明の実施例を添付図面を参照してさらに詳細に説明する。但し、本発明の解釈は、これに限定されるものではない。
【実施例】
【００１２】
本発明の実施例による、ユーザに装着され、使用可能状態の装置の概略図を図１及び２Ａから２Ｃに示す。装置１は、ユーザの顔４に配置された防護材２を備える。図１に示す防護材２は、頭部全体を覆う透明の軟質プラスチック材料によるものとされるが、防護材はもちろん他の形状及び材料によるものとしてもよい。防護材は１５０°Ｃを超える高温、最も好ましくは高温煙道ガス、火花及び灼熱に耐える、３００°Ｃを超える高温に耐えるプラスチック、ゴム若しくはその類の材料製とするのが好ましい。防護材は、少なくとも、口及び鼻を覆ういわゆるセミマスク形状としなければならないが、少なくとも、顔全体４を覆って煙から眼をも保護するような完全なマスク、或いは頭部全体を覆う防護材２とすることが好ましい。最も好ましくは、防護材２は、図１に示すような頭部全体を覆う袋状フードとされる。防護材２には、管状体６が設けられ、これと防護材２の間のつなぎ目で漏れが生じないように緊密接続される。管状体６の端部８には、防護材内側でユーザの口に位置するようにしたノズル部９付きのバルブ５が設けられる。このバルブは、管状体他端の空気吸込開口１０と連通する。バルブ５は逆止め弁タイプとされ、吸気が空気吸込開口１０を介して管状体６を通り、ノズル部９を介してユーザに送られるように作動する。呼気は、ノズル部を通過し、バルブ５の逆止め機構によって、管状体６への戻りを防止される。呼気は、バルブのバルブ出口１１を介して放出される。
【００１３】
図示しない別の実施例によれば、接続された管状体の上部側に、ソフトで、軟質の、ユーザの鼻に当接して鼻孔を塞ぐのに適した枕状要素をノズルに直結可能とされる。枕状要素には、窒息感をなくすために一定の空気透過性がなければならず、且つまた防護材内部の蒸気形成を防止するため、一定の水分を吸収可能としなければならない。
【００１４】
再び図１及び２Ａから２Ｃに関し、管状体は、肉薄のプラスチック膜等のように、圧縮状態で要するスペースが僅かな、軟質の伸縮自在且つ／又は引き延ばされた材料のものとされる。管状体の封じ込められた内面から成る空気チャネルには、弾性の螺旋ストリップ１２が設けられ、その最大限収縮状態に比して少なくとも２倍に引延ばし可能とすることが適切とされる。螺旋ストリップ１２は、無負荷時には、その引延ばしポジションから最大限収縮状態に弾性戻りするように形成可能とされる。管状体６は、１５０°Ｃを超える高温、最も好ましくは、高温煙道ガス及び落下する火の粉に耐える、３００°Ｃを超える高温に耐える材料のものとされる。管状体は、伸長状態では、少なくとも地面レベルに及ぶ長さＬを形成する。
【００１５】
管状体６の長さは、少なくともユーザの身長にほぼ対応する長さとしたいが、ユーザの身長を超えないことが好ましい。これに関し、管状体の長さＬは、防護材の配置から管状体外側自由端の空気吸込開口まで、少なくともユーザの顔４からユーザの足元若しくは下肢領域の地面近傍レベルまでの距離に対応する長さとすることが意図されている。管状体はまた、最大限伸長状態でユーザの身長より長目としてもよく、それによって吸込開口における管状体外側が、管状体をユーザの足元若しくは下肢部に垂らすか若しくは配置した場合に、ユーザが直立若しくは直立移動時に引き回し可能となる。但し、管状体は、長さＬの最大限伸長状態で、ユーザの直立時に吸込開口１０がユーザの下肢領域に同高となるように男女の平均身長より多少短めとすることが好ましく、それによって、地面に生じる塵埃、灰その他の小粒子を吸い込むことが回避される。管状体には、さらにその外側部分の空気吸込開口の適宜近傍に固定具１４を備えることができ、それによって管状体の空気入口をユーザの下肢若しくは足元に接続配置可能とされる。空気吸込開口に接続の前記外側部分には、本発明による装置を使用の際に吸込開口１０を地面近傍レベルの最も低い位置に確保するウエイト１５を設けることが可能とされる。図２Ｃから明らかな通り、本装置の防護材及び管状体は、引延ばし／畳み込み状態で、その実質的広がりを１つの面Ｐ上に置くことにより、装置の占めるスペースが僅少且つ適宜包装可能な装置１を形成する設計とされる。
【００１６】
図３ＡからＢに示す装置１の管状体６’の実施例は、主として装置は図１及び２Ａから２Ｃに示す装置１に共通とするが、管状体６’がベローズ状構造から成る。この実施例によれば、管状体６’は肉薄材により形成され、管状体の畳み込み及び伸張を容易にする襞１３が設けられる。管状体は防護材２が緊密接続される端部８（図１から２参照、図３ＡからＢには示さず）のホルダ１８に取り付けられる。図には、ホルダ１８にノズルに接続して取付可能な、吸気及び呼気を制御するためのバルブ１６、或いはそれに代わるバルブのための出口も示す。図３Ａは、ホルダ１８に畳み込んだ状態から引延しを始めた（矢印参照）本装置を示す。図３Ｂは、本装置を引き出された状態を示す。管状体は、薄肉の、弾性且つ軟質材料製とされ、襞１３が管状体延伸沿いに均等配備されるのが適切とされる。このように、管状体はベローズ状構造を有し、コンパクト且つ相当にフラットで、僅かな長さの省スペース・ユニットに圧縮、緊縮可能とされる。圧縮状態の長さは、横断面の径より小とするのが適切とされる。延伸状態の管状体は、少なくともユーザの口から地面レベル近傍までの距離に対応する縦方向長さを有する。弾性のストリップにより形成される固定具１４’が、管状体下端をユーザの下肢に配置するために、空気吸込開口１０に取り付けられる。
【図面の簡単な説明】
【００１７】
【図１】本発明の実施例による、ユーザに装着され、使用可能状態の装置の概略図を示す図である。
【図２Ａ】図１による装置の畳んだ状態を示す概略図である。
【図２Ｂ】図１による装置のある程度引き延ばされた状態を示す図である。
【図２Ｃ】図１による装置が包装のために収縮された状態を示す図である。
【図３Ａ】別の実施例による管状体の畳み込まれた状態を示す概略図である。
【図３Ｂ】図３Ａによる管状体の引き出された状態を示す図である。
【図１】
2006507889.tif 000003
2006507889.tif 000004
2006507889.tif 000005
【国際調査報告】
2006507889.tif 000006
2006507889.tif 000007